(57)【要約】【課題】装着面が水平でない場合にも装着作業性が良好でかつ意匠性に優れた照明器具を提供する。【解決手段】光源と、前記光源を取り付ける器具本体と、前記光源を覆うように前記器具本体に取り付けられるカバー体と、を有する照明器具であって、前記カバー体は、前記器具本体との間隔を個別に設定可能な吊下げ部を介して装着される。【選択図】図３
2011003501.tif 000002
【特許請求の範囲】
【請求項１】
光源と、
前記光源を取り付ける器具本体と、
前記光源を覆うように前記器具本体に取り付けられるカバー体と、
を有する照明器具であって、
前記カバー体は、前記器具本体との間隔を個別に設定可能な吊下げ部を介して装着された照明器具。
【請求項２】
請求項１記載の照明器具であって、
前記吊下げ部は、前記器具本体との取り付け接点で回動自在に取り付けられる照明器具。
【請求項３】
請求項１または２に記載の照明器具であって、
前記吊下げ部は、前記カバー体との取り付け接点で回動自在に取り付けられる照明器具。
【発明の詳細な説明】
【技術分野】
【０００１】
本発明は、照明器具に係り、特にその取り付け構造に関する。
【背景技術】
【０００２】
天井などに、複数の長尺の照明器具をその長手方向に沿って一列に並べて天井面に直付けするライン型照明器具が、広く用いられている。
【０００３】
その一例として、合成樹脂製の連結具を用いて器具相互間を接続する配線ホルダを用いて、天井面に一列に並べる構成が提案されている（たとえば特許文献１）。
【先行技術文献】
【特許文献】
【０００４】
【特許文献１】特開２００４−１２７８６９号公報
【発明の概要】
【発明が解決しようとする課題】
【０００５】
このようなライン型照明器具は、図６に示すように、天井近傍の現し梁３００の下端に取り付けられることが多い。このような現し梁３００は、打ちっぱなしの天井の場合、必ずしも天井面が平滑ではないことがある。したがって下端の面も水平でないことがある。
例えば、極端な場合には図７に示すように現し梁３００の下端面が斜めになっていることがある。このような場合、現し梁３００の下端面に直付けされた器具本体１２０１に装着された２本の直管蛍光灯１１００も現し梁３００の下端面に沿って配されることになる。したがってカバー体１２０２を介して出力される光も斜めになる。このため、意匠性が低下するという問題があった。
本発明は前記実情に鑑みてなされたもので、装着面が水平でない場合にも装着作業性が良好でかつ意匠性に優れた照明器具を提供することを目的とする。
【課題を解決するための手段】
【０００６】
そこで本発明の照明器具は、光源と、前記光源を取り付ける器具本体と、前記光源を覆うように前記器具本体に取り付けられるカバー体と、を有する照明器具であって、前記カバー体は、前記器具本体との間隔を個別に設定可能な吊下げ部を介して装着される。
この構成によれば、カバー体は、器具本体との間隔を個別に設定可能な吊り下げ部によって取り付けられるため、下端面が水平でない場合にも、吊り下げ部の長さを調整することにより、常に照明器具のカバー体を水平にすることができる。
【０００７】
また本発明は、上記の照明器具において、前記吊下げ部が、前記器具本体との取り付け接点で回動自在に取り付けられる。
この構成によれば、吊り下げ部は、器具本体との取り付け接点で回動自在に支持されるため、個々のカバー体が熱などにより伸張しても、カバー体同士が押し引きしながら収まるため、あらかじめ離隔して配置する必要がなくなる。したがって、間隙なしに複数の照明器具をライン状に配列し、ライン型照明装置を形成することが可能となる。
【０００８】
また本発明は、上記の照明器具において、前記吊下げ部は、前記カバー体との取り付け接点で回動自在に取り付けられる。
この構成によれば、吊り下げ部は、カバー体との取り付け接点とで回動自在に支持されるため、個々のカバー体が熱などにより伸張しても、カバー体同士が押し引きしながら収まるため、あらかじめ離隔して配置する必要がなくなる。したがって、間隙なしに複数の照明器具をライン状に配列し、ライン型照明装置を形成することが可能となる。
【発明の効果】
【０００９】
以上説明してきたように、本発明によれば、カバー体は、器具本体との間隔を個別に設定可能な吊り下げ部によって取り付けられるため、下端面が水平でない場合にも、吊り下げ部の長さを調整することにより、器具のカバー体を水平にすることができる。
【００１０】
また本発明は、上記の照明器具において、吊り下げ部は、器具本体との取り付け接点で回動自在に支持されるため、個々のカバー体が熱などにより伸張しても、カバー体同士が押し引きしながら収まるため、あらかじめ離隔して配置する必要がなくなる。したがって、間隙なしに複数の照明器具をライン状に配列し、ライン型照明装置を形成することが可能となる。
【図面の簡単な説明】
【００１１】
【図１】本発明の実施の形態１の照明器具を示す断面説明図、（ａ）は、平坦でない面に装着した場合、（ｂ）は、平坦面に装着した場合を示す図
【図２】同照明器具を示す一部分解断面図
【図３】同照明器具を用いたライン型照明器具の全体構成を示す上面図
【図４】（ａ）は、低温時の各照明器具の配列状態を示す側面図、（ｂ）は、高温時の各照明器具の配列状態を示す側面図
【図５】（ａ）は、低温時のカバー体の状態を示す斜視図、（ｂ）は、高温時のカバー体の状態を示す斜視図
【図６】従来例の照明器具を示す分解斜視図
【図７】従来例の照明器具を示す断面説明図
【図８】従来例の照明器具を用いたライン型照明器具の全体構成を示す上面図
【発明を実施するための形態】
【００１２】
以下本発明の実施の形態について図面を参照しつつ詳細に説明する。
（実施の形態１）
図１（ａ）および（ｂ）は本発明の実施の形態１の照明器具２００を現し梁に取り付けた場合の模式的断面説明図、図２はこの照明器具を示す断面説明図、図３はこの照明器具を用いたライン型照明器具の全体構成を示す上面図、図４（ａ）および（ｂ）は低温時および高温時の各照明器具の配列状態を示す側面説明図、図５（ａ）および（ｂ）は低温時および高温時のカバー体の状態を示す斜視的説明図である。ここでは３本の照明器具を一列に配列してライン型照明器具を構成している。ここで図１（ａ）は装着面がななめになっている場合、図１（ｂ）は装着面が水平になっている場合を示す。
【００１３】
本実施の形態の照明器具２００は、図１（ａ）および（ｂ）に示すように、照明器具２００のカバー体２０２が、器具本体２０１との間隔を個別に設定可能な吊下げ部としてのステンレス製のワイヤ２０５を介して装着されたことを特徴とする。すなわち、本実施の形態の照明器具２００は図１および図２に示すように、天井面の現し梁３００に装着された器具本体２０１と、カバー体２０２と、この器具本体２０１にソケット(図示せず)を介して装着されたランプ１００とを具備し、カバー体２０２がワイヤ２０５で吊り下げられている。このため、天井面の現し梁３００が斜めになっていても、このワイヤ２０５の長さをワイヤグリップ２０４で調整することで、装着面が斜めになっていても、カバー体２０２は床面に対して平行に配置される。光源としてのランプ１００は直管蛍光灯であり、器具本体２０１に装着されている。ここで２０３は安定器である。また反射板２０６はランプ１００に対して位置が固定されており、反射板２０６もランプ１００に対して固定されている。なおこのワイヤ２０５と器具本体２０１との接点はワイヤグリップ２０４において回動自在となっている。一方、このワイヤ２０５とカバー体２０２との接点はボールジョイント２０７を介して回動自在となっている。
【００１４】
そして、図３に上面図を示すように３本の照明器具２００を隙間なしに配列しライン型照明器具を構成している。
【００１５】
取り付けに際しては、ワイヤグリップ２０４を回転し、ワイヤを巻きつけて短くしたり、巻きつけたワイヤを巻き戻したりすることで、各ワイヤの長さを調整し、カバー体２０２が水平となるように調整する。図１（ａ）に示すように、装着面である現し梁の下端面がななめになっている場合、ワイヤの調整により、カバー体２０２が水平となる。図１（ｂ）に示すように装着面が水平になっている場合はワイヤの長さを等しくなるように調整するだけで水平な状態で取り付けることができる。このため、意匠性が向上するだけでなく、ランプからカバー体を介して出射される光も良好に拡散される。
【００１６】
この構成によれば、カバー体２０２は、器具本体２０１との間隔を個別に設定可能な４本のワイヤ２０５によって器具本体２０１に取り付けられるため、取り付け面である天井面の下端面が水平でない場合にも、ワイヤ２０５の長さを調整することにより、カバー体２０２を水平に維持することができる。
【００１７】
また、ワイヤ２０５は、器具本体２０１との取り付け接点（２０４）およびカバー体２０２との取り付け接点（２０７）で回動自在に取り付けられる。
【００１８】
図４および図５は低温時と高温時の照明器具の状態を示す図である。
図４（ａ）および（ｂ）は、低温時および高温時のカバー体２０２の伸縮とワイヤ２０５の状態を示す側面比較図である。
図５（ａ）および（ｂ）は、低温時および高温時のカバー体２０２の伸縮とワイヤ２０５の状態を示す斜視的比較図である。
図４および図５から明らかなように、低温時も高温時も良好にカバー体２０２の位置の保持がなされている。
このように、ワイヤ２０５は、カバー体２０２および器具本体２０１との接点とで回動自在に支持されるため、個々のカバー体が熱などにより伸張しても、図５（ｂ）および図４（ｂ）に示すように、カバー体同士が押し引きしながら収まる。
【００１９】
比較のために図７に示したような従来例の照明器具を複数本ライン状に配列してライン型照明装置を形成する場合を考える。この場合、光源の熱によるカバー体１２０２の膨張を考慮して図８に示すように複数の照明器具１２００間に間隙１２１０を設ける必要があったのに対し、本実施の形態では図３に示すように間隙なしにカバー体２０２を配列することができる。
【００２０】
以上説明してきたように、本実施の形態によれば、吊り下げ部を構成するワイヤ２０５は、器具本体２０１との取り付け接点およびカバー体２０２との取り付け接点で回動自在に支持されるため、個々のカバー体が熱などにより伸張しても、カバー体同士が押し引きしながら収まるため、あらかじめ離隔して配置する必要がなくなる。したがって、間隙なしにライン配列を行うことが可能となる。従って意匠性が向上する。
【００２１】
なお、前記実施の形態では、吊り下げ部を構成するワイヤ２０５は、器具本体２０１との取り付け接点およびカバー体２０２との取り付け接点で回動自在に支持されるように構成したが、いずれか一方で回動自在であってもよい。
また、吊り下げ部を構成するワイヤを、柔軟性を持つ材料で構成することで、ワイヤ自体が回転やねじれを吸収するようにすれば、さらに簡単な構成で複数の照明器具を密接に
ライン配列し、意匠性の高いライン型照明器具を形成することが可能となる。
【００２２】
なお、本実施の形態では、ライン型照明器具について説明したがこれに限定されることなく、他の天井取付型等の照明器具などにも適用可能である。
【符号の説明】
【００２３】
１００  ランプ
２００  照明器具
２０１  器具本体
２０２  カバー体
２０４  ワイヤグリップ（接点）
２０５  ステンレスワイヤ
２０６  反射面
２０７  ボールジョイント（接点）
３００  天井面
１２００  照明器具
１２０１  器具本体
１２０２  カバー体
１２１０  間隙
【図１】
2011003501.tif 000003
【図２】
2011003501.tif 000004
【図３】
2011003501.tif 000005
【図４】
2011003501.tif 000006
【図５】
2011003501.tif 000007
【図６】
2011003501.tif 000008
【図７】
2011003501.tif 000009
【図８】
2011003501.tif 000010